(57)【要約】【課題】犬等、ペットの糞を捕集するもので、簡単な構造で、安価に形成できる糞捕集器を提供する。【解決手段】糞を受容する袋１と、袋１の開口部１ａを保持する排泄物捕集具２とからなり、前記排出物捕集具２は、可撓性を有するプラスチック材料で形成され、第１ならびに第２把持部６、７を把持して両把持部６、７を互いに近接させることにより、第１ならびに第２袋保持部３、４が輪状に変形して、前記袋１の開口部１ａを開成すると共に、前記第１ならびに第２把持部６、７の近接を開放することにより、前記第１ならびに第２袋保持部３、４が相互に近接して前記袋の開口部を閉成することを特徴とする。【選択図】  図１
2004313023.tif 000002
【特許請求の範囲】
【請求項１】
糞を直接的に、又は紙等を介して間接的に受容する袋と、前記袋の開口部を保持し、前記袋を開成又は閉成する排泄物捕集具からなり、前記排泄物捕集具は、回動支点軸を中心に回動自在に枢支された第１ならびに第２回動支点部と、柔軟性を有する帯状をなし、相対向して各一端が前記各回動支点部に連結し、各他端が回動自在に枢支されて、前記袋の開口部を係止し、同袋を保持する第１ならびに第２袋保持部と、前記第１ならびに第２回動支点部に第１ならびに第２袋保持部と反対側に連結する第１ならびに第２把持部とを有し、前記第１ならびに第２把持部を把持して両把持部を互いに近接させることにより、前記第１ならびに第２袋保持部が円弧状に変形して、前記袋の開口部を開成すると共に、前記第１ならびに第２把持部の近接を開放することにより、前記第１ならびに第２袋保持部が相互に近接して前記袋の開口部を閉成することを特徴とするペット用排泄物捕集器。
【請求項２】
前記第１ならびに第２袋保持部には、袋の開口部を閉成、維持するよう略中央部の相対向する位置に磁石を設けたことを特徴とする請求項１に記載のペット用排泄物捕集器。
【請求項３】
前記第１ならびに第２袋保持部が近接して袋の開口部を閉成する方向に付勢するよう前記第１ならびに第２回動支点部の間にバネ等の付勢手段を設けたことを特徴とする請求項１に記載のペット用排泄物捕集器。
【請求項４】
前記第１ならびに第２回動支点部は、前記回動支点となる部分を薄肉部とし、ポリプロピレン等の可撓性材料を用いて一体成形したことを特徴とする請求項１に記載のペット用排泄物捕集器。
【請求項５】
前記第１ならびに第２把持部をポリプロピレン等の可撓性材料を用いて一体成形し、各把持部の遊端を薄肉部としてヒンジ結合したことを特徴とする請求項１に記載のペット用排泄物捕集器。
【請求項６】
前記袋の開口部と第１ならびに第２袋保持部を一体成形することを特徴とする請求項１に記載のペット用排泄物捕集器。
【請求項７】
前記第１ならびに第２把持部は、前記回動支点を中心に回動して、袋の開口部を開閉するよう２本の指を挿入、保持して操作できるよう一体成形したことを特徴とする請求項１に記載のペット用排泄物捕集器。
【請求項８】
前記第１ならびに第２袋保持部に弾力性の高い金属板を用い、第１ならびに第２回動支点部と一体に結合したことを特徴とする請求項１に記載のペット用排泄物捕集器。
【発明の詳細な説明】
【０００１】
【発明の属する技術分野】
本発明は、犬等のペットが落とす糞を地上に落ちる前に捕集袋で受取るようにした携帯に適したペット用排泄物捕集器に関する。
【０００２】
【従来の技術】
最近、犬、猫等のペットが一般家庭等で広く飼育されるようになってきたが、これらペットを散歩させる時等において、ペットが排泄する糞の処理は、小スコップ、拾い棒等で拾い上げて、一般的なごみ袋に入れたり、不要になった新聞紙に包み込む等している。
【０００３】
このような状況から、散歩を快適なものにし、環境を維持して不愉快なものとしないため、犬等の糞を処理するペット用排泄物捕集器が、簡易なものから複雑な構造のものまで数多く提案されている。例えば簡易な構造のものとしては、特許文献１に示されているようなものがある。
【０００４】
すなわち、洗濯ばさみに似た構成の把手に一対の金属線を延長し、その金属線にコ字状の袋保持部を形成し、この袋保持部に汎用の袋の下半を挟んだ後、袋の上半を外側に折り返して袋を保持し、上記把手を握ることにより、把手のバネ力に抗して袋保持部を開き、袋の口を開成するようにしたものがある。
【０００５】
【特許文献１】
特開平１１−１７８４６７号公報
【０００６】
【発明が解決しようとする課題】
しかしながら、上記構成の糞収容具は、簡単な構成で、安価に製造できる利点はあるが、袋の口を開成するのに、コ字状の金属線が把手部分を支点として、台形のような形状で広がり、円形のような最大開口面積を確保することは出来ない。また袋の上半を金属線で形成された袋保持部に折り返すだけの袋保持構造では、糞の量が多い場合、袋が糞収容具から離脱し、処理前に落下してしまう等の問題が発生する。
【０００７】
本発明は、上記問題を解決し、極めて簡単な構成でありながら、操作が簡単で、袋の開口面積を大きく確保でき、また袋と捕集具の離脱も少ないペット用排泄物捕集器を提供するものである。
【０００８】
【課題を解決するための手段】
本発明に係るペット用排泄物捕集器は、糞を直接的に、又は紙等を介して間接的に受容する袋と、前記袋の開口部を保持し、前記袋を開成又は閉成する排泄物捕集具からなり、前記排泄物捕集具は、回動支点軸を中心に回動自在に枢支された第１ならびに第２回動支点部と、柔軟性を有する帯状をなし、相対向して各一端が前記各回動支点部に連結し、各他端が回動自在に枢支されて、前記袋の開口部を係止し、同袋を保持する第１ならびに第２袋保持部と、前記第１ならびに第２回動支点部に第１ならびに第２袋保持部と反対側に連結する第１ならびに第２把持部とを有し、前記第１ならびに第２把持部を把持して両把持部を互いに近接させることにより、前記第１ならびに第２袋保持部が円弧状に変形して、前記袋の開口部を開成すると共に、前記第１ならびに第２把持部の近接を開放することにより、前記第１ならびに第２袋保持部が相互に近接して前記袋の開口部を閉成することを特徴とする。
【０００９】
この特徴により、把持部を手で握れば、その先に配置される糞を受容する袋の開口部が円弧状に大きく開成し、そのまま、ペットの脱糞位置に容易にあてがうことができ、逆に把持部から力を抜けば、前記袋を閉じることが出来、極めて簡単な構成でありながら、確実な処理ができる。
【００１０】
【発明の実施の形態】
（実施の形態１）
以下に本発明の実施の形態について、図面を参照して説明する。図１〜図３において、袋１は、糞を受容する糞捕集袋で、一般には、ビニール、布、不織布等の材料が用いられる。そして使用時は、使い捨ての紙を敷いて、この紙に捕集された排泄物をトイレ等に流して処理する。
【００１１】
袋１には、開口部１ａに、袋１を支持するための挿通袋孔１ｂが設けられている。２は、袋１の開口部１ａを開閉、保持する排泄物捕集具、３、４は、この排泄物捕集具２の一部で、帯状に形成され、袋１に設けられた前記挿通袋孔１ｂに通して袋１を保持する第１ならびに第２袋保持部で、ポリプロピレン等の可撓性のプラスチック材料で作られている。袋１を排泄物捕集具２に装着するには、前記第１ならびに第２袋保持部３、４の遊端を袋１の挿通袋孔１ｂの入口から挿入して上記挿通袋孔１ｂの出口から出した後、第１ならびに第２袋保持部３、４の遊端を枢支具５により回動自在に枢支する。これにより袋１の開口部１ａが袋保持部３、４に保持されると共に、袋保持部３、４が互いに接触して袋１の開口部１ａを閉じるか、袋保持部３、４が互いに円弧状に変形して袋１の開口部１ａを開くように構成されている。なお、本実施の形態における枢支手段５は、図４（ａ）、（ｂ）に示すように、ボルト、ナットで枢支しているが、着脱自在な枢支手段としてマジックテープ（登録商標）あるいはホックを用いることも可能である。ホック形式の枢支手段は、上下抜き一方向だけの単純な成形金型構造で成形可能なため、コスト的にも有利である。３ａ、４ａは、袋保持部３、４の中央部内側に相対向して取り付けた磁石で、互いに吸着して第１ならびに第２袋保持部３，４が近接して、袋１の開口部１ａの閉成状態を維持する。６、７は、第１ならびに第２把持部で、第１ならびに第２回動支点部８、９を介して袋保持部３、４と、それぞれポリプロピレン等の可撓性を有するプラスチック材料で一体に形成されている。  また、第１ならびに第２把持部６、７の他端６ｂ、７ｂは、ヒンジ機能を発揮できるよう薄肉で一体に連結されている。そして前記第１ならびに第２回動支点部８、９は、袋保持部３、４や把持部６、７に比較して変形しにくい形状に形成されており、また共通の回動支点１０で回動自在に枢着されている。
【００１２】
上記構成において、図１〜３に示すように、第１ならびに第２把持部６、７を把持して両把持部６、７が近接すると、材料の持つ可撓性により、回動支点１０を中心に袋保持部３、４がそれぞれ円弧状に変形して全体として輪を描くような形状を形成し（図１）、袋保持部３、４に保持されている袋１の開口部１ａが大きく開成する（図３）。
【００１３】
逆に、第１ならびに第２把持部６、７を強く把持することなく、すなわち把持部６、７に把持力を加えることなく、力を開放すると、円弧状に変形して輪を描いていた袋保持部３、４が、材料の持つ可撓性により復元しようとする力が働き、両袋保持部３、４が近接する（図２）。袋１が装着されている場合は、袋１の開口部１ａが閉成する方向に形状を変え、袋保持部３、４に設けた磁石３ａ、４ａにより吸引されて袋保持部３、４が相互に近接状態を維持する。１１は、袋保持部３、４が近接して、袋１の開口部１ａを閉成する方向に付勢するバネである。袋１の開口部１ａを強く閉成する場合には、上記バネ１１を用いることが有効である。また袋１を恒久的に捕集具２に取り付けておく場合は、袋保持部３、４の先端は、袋１を装着した後、ネジ等で回動自在に枢支しておけばいいが、袋の汚れを頻繁に洗濯する等、袋を分離することが多い場合は、前記したように、マジックテープ（登録商標）やホック形式の方が便利である。
【００１４】
なお、袋保持部３、４に袋１の開口部１ａを折り曲げるだけの袋保持の構造の場合は、袋保持部３、４の略中央部に設けた磁石３ａ、４ａと、この磁石３ａ、４ａで袋１の開口部１ａを挟み込むための磁石、又は磁性体を用意すればいい。
【００１５】
６ａ、７ａは、第１ならびに第２把持部６、７に設けた突起で、袋保持部３、４が十分な広がりが出来、輪を描くように変形させるために、把持部６、７に力を加えやすくする滑り止めとして設けたものである。
【００１６】
（実施の形態２）
本実施の形態では、単純な上下抜きの一方向だけの金型を用いて一体成形する排泄物捕集具について説明する。同一機能を発揮する構造部分については、同一番号を付して説明する。
【００１７】
図５において、それぞれ第１ならびに第２袋保持部３、４と第１ならびに第２把持部６、７とを連結する第１ならびに第２回動支点部８、９がポリプロピレン等の可撓性の大きいプラスチック樹脂で、一体成形されており、かつ第１ならびに第２回動支点部８、９の共通する回動支点１０の部分を薄肉にして、ヒンジ効果を発揮させ、前記回動支点１０を中心に回動自在になっている。また第１ならびに第２把持部６、７の遊端も、薄肉で形成されており、この遊端を中心にヒンジが構成される。また第１ならびに第２袋保持部３、４の遊端も、糞捕集袋１の開口部１ａを折り曲げて袋保持部３、４に掛けて磁石等で止めるタイプの場合は、把持部６、７と同様に袋保持部３、４の遊端を薄肉で形成し、ここを中心に回動自在とすることが出来る。
【００１８】
（実施の形態３）
前記した実施の形態では、第１ならびに第２把持部６、７を手で握って同把持部６、７が近接するように力が加えられる構成にしているが、本実施の形態では、図６に示すように、第１ならびに第２把持部６、７は、はさみのように２本の指を挿入して注力できるよう構成されており、排泄物捕集具２をコンパクトにできる利点がある。
【００１９】
なお、いずれのタイプも、袋と袋保持部を一体成形して、袋の取り外しや、磁石の設置、マジックテープ（登録商標）の使用等を排除して、より簡易な構成にすることも可能である。
【００２０】
（実施の形態４）
図７〜９を用いて、実施の形態４の構成を説明する。実施の形態１では、第１ならびに第２袋保持部３、４は、第１ならびに第２回動支点部８、９と同一のプラスチック材料で一体に構成されており（図１）、第１ならびに第２把持部６、７への把持力を開放した際、第１ならびに第２袋保持部３、４のプラスチック材料の持つ復元力により同第１ならびに第２袋保持部３、４が近接して袋１の開口部１ａを閉じる方向に作用するが、袋１の開口部１ａの閉成力を強化するためには、袋保持部３、４の材料を選択して復元力を一層強化するとよい。
【００２１】
本実施の形態の場合は、第１ならびに第２袋保持部３０、４０の材料を弾力性の高い金属材料、たとえばスプリング用の鋼帯を用い、端部を第１ならびに第２回動支点部８０、９０と一体に結合している。袋保持部３０、４０の他端は、実施の形態１と同様に、回動自在に枢支されている。
【００２２】
袋保持部３０、４０と回動支点部８０、９０との結合は、図８により、袋保持部３０と回動支点部８０の一方のみの関係について示すと、回動支点部８０の端部に形成した係止凹部８０ａに袋保持部３０の端部に形成した係止凸部３０ａを圧入して係合させることで実現する。より単純な構成としては、図９に示すように、プラスチック材料で形成した回動支点部８１の端部に突起８１ａを形成し、袋保持部３１の端部に上記突起８１ａに嵌合する孔３１ａを設け、上記突起８１ａと孔３１ａを嵌合して突起８１ａを溶着することにより一体に結合すればよい。なお袋保持部４０と回動支点部９０の関係も前記と同様であるので説明を省略する。
【００２３】
【発明の効果】
以上、本発明によれば、可撓性の大きい材料の特性を活用し、把持部を手で握れば、その先に配置される糞を受容する袋の開口部が開成し、そのまま、ペットの脱糞位置に容易にあてがうことができ、逆に把持部から力を抜けば、前記袋を閉じることが出来、極めて簡単な構成でありながら、確実な処理と携帯性の便なる排泄物捕集器が提供できる。
【図面の簡単な説明】
【図１】本発明の一実施の形態における排泄物捕集具の上面図で、捕集袋が開いた状態の場合を示す。
【図２】本発明の一実施の形態における排泄物捕集具の上面図で、捕集袋が閉じた状態の場合を示す。
【図３】糞捕集袋と排泄物捕集具の斜視図である。
【図４】袋保持部先端の連結構造を示す図で、（ａ）は要部上面図、（ｂ
）は要部断面図である。
【図５】本発明の他の実施の形態における排泄物捕集具の上面図で、
（ａ）は、成形時における形状を示す。
（ｂ）は、糞捕集袋が開いた状態における形状を示す。
（ｃ）は、糞捕集袋が閉じた状態における形状を示す。
【図６】本発明の他の実施の形態における排泄物捕集具の上面図である。
【図７】本発明のさらに他の実施の形態における排泄物捕集具の上面図である。
【図８】図７における袋保持部と回動支点部との結合を示す説明図で、（ａ）は、要部斜視図、（ｂ）は、結合前の要部断面図、（ｃ）は、結合後の要部断面図である。
【図９】他の実施の形態における袋保持部と回動支点部との結合を示す説明図で、（ａ）は、結合前の要部斜視図、（ｂ）は、結合後の要部断面図である
。
【符号の説明】
１  袋
１ａ  開口部
１ｂ  挿通袋孔
２  排泄物捕集具
３  第１袋保持部
４  第２袋保持部
３ａ、４ａ  磁石
５  枢支手段
６  第１把持部
７  第２把持部
８  第１回動支点部
９  第２回動支点部
１０  回動支点
１１  付勢手段
【図１】
2004313023.tif 000003
【図２】
2004313023.tif 000004
【図３】
2004313023.tif 000005
【図４】
2004313023.tif 000006
【図５】
2004313023.tif 000007
【図６】
2004313023.tif 000008
【図７】
2004313023.tif 000009
【図８】
2004313023.tif 000010
【図９】
2004313023.tif 000011